(57)【要約】  【課題】  効率的にかつ多くの機会で機能情報を案内することができるという効果を有する電子機器を提供する。  【解決手段】  既使用情報が読み出されると、使用された機能に関する機能情報がＨＤＤ４に記憶された機能情報の中に存在するか否かが判定される。使用された機能に関する機能情報が存在するとの判定がなされると、ＨＤＤ４に記憶された全ての機能情報から使用された機能に関する機能情報を差分したものが取得される。機能情報が差分して取得されると、この機能情報が画像などによって案内される。【選択図】  図１
2005214731.tif 000002
【特許請求の範囲】
【請求項１】
機能が使用されたことを示す既使用情報を蓄積する蓄積手段と、機能に関して案内するための機能情報を複数記憶する記憶手段と、前記記憶手段に記憶された複数の前記機能情報の中から前記蓄積手段に蓄積された前記既使用情報に応じた機能情報を選択する選択手段と、前記選択手段によって選択された前記機能情報を案内する案内手段とを備えたことを特徴とする電子機器。
【請求項２】
前記選択手段は、未使用の機能に関する前記機能情報を選択することを特徴とする請求項１に記載の電子機器。
【請求項３】
前記選択手段は、所定の期間にわたって未使用の機能に関する前記機能情報を選択することを特徴とする請求項２に記載の電子機器。
【請求項４】
前記選択手段は、使用回数が所定の回数以下である機能に関する前記機能情報を選択することを特徴とする請求項１に記載の電子機器。
【請求項５】
前記選択手段は、前記機能情報に対して定められた優先度に従って前記優先度の高い順に前記機能情報を選択することを特徴とする請求項１ないし請求項４の何れかに記載の電子機器。
【請求項６】
前記優先度を示す優先度情報を受信する受信手段を備えたことを特徴とする請求項５に記載の電子機器。
【請求項７】
前記優先度を示す優先度情報を着脱可能な記憶媒体から読み取る読取手段を備えたことを特徴とする請求項５に記載の電子機器。
【請求項８】
前記蓄積手段は、前記既使用情報をユーザ毎に分けて蓄積することを特徴とする請求項１ないし請求項７の何れかに記載の電子機器。
【請求項９】
前記案内手段は、所定の条件に基づいて案内を開始することを特徴とする請求項１ないし請求項８の何れかに記載の電子機器。
【発明の詳細な説明】
【技術分野】
【０００１】
本発明は、複数の機能を有する電子機器に関するものである。
【背景技術】
【０００２】
従来の電子機器として、ユーザが同じ容量の原稿を複数の異なる宛先に送信する操作など同報送信機能と類似の操作を行うと、ユーザが同報送信機能を知らないと判定し、同報送信機能の機能情報を印字するファクシミリ装置が知られている（例えば、特許文献１参照。）。
【特許文献１】特開２００２−４４３４２号公報（第４頁、第２図）
【発明の開示】
【発明が解決しようとする課題】
【０００３】
しかしながら、従来の電子機器においては、ある機能と類似の操作が行われなければ、機能情報が印字されることはなく、機能情報を案内するための機会が限られてしまうという問題があった。
【０００４】
他方、多数の機能を有する電子機器において、機能情報が全ての機能に関して案内されると、機能情報を効率的に案内することができないという問題がある。
【０００５】
本発明は、従来の問題を解決するためになされたもので、効率的にかつ多くの機会で機能情報を案内することができる電子機器を提供することを目的とする。
【課題を解決するための手段】
【０００６】
本発明の電子機器は、機能が使用されたことを示す既使用情報を蓄積する蓄積手段と、機能に関して案内するための機能情報を複数記憶する記憶手段と、前記記憶手段に記憶された複数の前記機能情報の中から前記蓄積手段に蓄積された前記既使用情報に応じた機能情報を選択する選択手段と、前記選択手段によって選択された前記機能情報を案内する案内手段とを備えたことを特徴とする構成を有している。
【０００７】
この構成によれば、本発明の電子機器は、既使用情報に応じて機能情報を案内するので、効率的にかつ多くの機会で機能情報を案内することができる。
【０００８】
本発明の電子機器は、前記選択手段は、未使用の機能に関する前記機能情報を選択することを特徴とする構成を有している。
【０００９】
この構成によれば、本発明の電子機器は、未使用の機能についてのみ機能情報を案内するので、より効率的にかつ多くの機会で機能情報を案内することができる。
【００１０】
本発明の電子機器は、前記選択手段は、所定の期間にわたって未使用の機能に関する前記機能情報を選択することを特徴とする構成を有している。
【００１１】
この構成によれば、本発明の電子機器は、所定の期間にわたって未使用の機能についてのみ機能情報を案内するので、より効率的にかつ多くの機会で機能情報を案内することができる。
【００１２】
本発明の電子機器は、前記選択手段は、使用回数が所定の回数以下である機能に関する前記機能情報を選択することを特徴とする構成を有している。
【００１３】
この構成によれば、本発明の電子機器は、使用回数が所定の回数以下である機能に関してのみ機能情報を案内するので、より効率的にかつ多くの機会で機能情報を案内することができる。
【００１４】
本発明の電子機器は、前記選択手段は、前記機能情報に対して定められた優先度に従って前記優先度の高い順に前記機能情報を選択することを特徴とする構成を有している。
【００１５】
この構成によれば、本発明の電子機器は、優先度の高い順に機能情報を案内することができるので、より効率的にかつ多くの機会で機能情報を案内することができる。
【００１６】
本発明の電子機器は、前記優先度を示す優先度情報を受信する受信手段を備えたことを特徴とする構成を有している。
【００１７】
この構成によれば、本発明の電子機器は、優先度情報を外部から受信するので、多くのユーザが利用している機能に関する機能情報を優先的に案内することができる。
【００１８】
本発明の電子機器は、前記優先度を示す優先度情報を着脱可能な記憶媒体から読み取る読取手段を備えたことを特徴とする構成を有している。
【００１９】
この構成によれば、本発明の電子機器は、着脱可能な記憶媒体から優先度情報を読み取るので、多くのユーザが利用している機能に関する機能情報を優先的に案内することができる。
【００２０】
本発明の電子機器は、前記蓄積手段は、前記既使用情報をユーザ毎に分けて蓄積することを特徴とする構成を有している。
【００２１】
この構成によれば、本発明の電子機器は、既使用情報をユーザ毎に分けて蓄積するので、機能情報の案内をユーザ毎に変化させることができる。
【００２２】
本発明の電子機器は、前記案内手段は、所定の条件に基づいて案内を開始することを特徴とする構成を有している。
【００２３】
この構成によれば、本発明の電子機器は、車両停止など所定の条件に基づいて機能情報の案内を開始するので、より効率的かつ安全に機能情報を案内することができる。
【発明の効果】
【００２４】
本発明は、効率的にかつ多くの機会で機能情報を案内することができるという効果を有する電子機器を提供することができるものである。
【発明を実施するための最良の形態】
【００２５】
以下、本発明の実施の形態に係る電子機器について、図面を用いて説明する。もちろん、本願の特許請求の範囲は、以下の説明によって限定されない。
【００２６】
（第１の実施の形態）
まず、本発明の第１の実施の形態に係る電子機器の構成について説明する。
【００２７】
図１に示すように、本実施の形態に係る電子機器１は、機能の実行を指示する指示信号をユーザの操作に応じて出力する操作スイッチ２と、操作スイッチ２からの指示信号を既使用情報として蓄積する蓄積手段としてのランダムアクセスメモリー（以下、ＲＡＭという）３と、機能に関して案内するための機能情報を複数記憶する記憶手段としてのハードディスクドライブ（以下、ＨＤＤという）４と、各種プログラムなどを格納するリードオンリーメモリー（以下、ＲＯＭという）５と、ＲＯＭ５に格納された各種プログラムを実行して各種処理を行うシーピーユー（以下、ＣＰＵという）６と、ＣＰＵ６からの処理信号に基づいて機能情報を画像出力するディスプレイ７と、ＣＰＵ６からの処理信号に基づいて機能情報を音声出力するスピーカ８と、着脱可能な記憶媒体としてのカードメモリ９から情報を読み取る読取手段としてのカードリーダ１０と、計時用のタイマ１１とを備えている。
【００２８】
操作スイッチ２は、図２に示すように、ディスプレイ７と一体的に複数設けられており、それらの操作態様によって各種機能の実行を指示する指示信号を出力するようになっている。より具体的には、操作スイッチ２ａが５秒間押下され続けると、機能Ａの実行を指示する指示信号が出力されるようになっている。また、操作スイッチ２ｂが３回押下されると、機能Ｂの実行を指示する指示信号が出力されるようになっている。更に、操作スイッチ２ｃおよび操作スイッチ２ｄが同時に押下されると、機能Ｃの実行を指示する指示信号が出力されるようになっている。
【００２９】
また、図１に示すＲＡＭ３は、複数の記憶領域をそれぞれ各ユーザ用に割り当てて、既使用情報をユーザ毎に分けて蓄積するようになっている。より具体的には、ユーザＩＤとして「００１」および「００２」が存在する場合、各ユーザについて、操作スイッチ２からの指示信号に対応する機能と、その指示信号が出力された日時とが既使用情報としてＲＡＭ３に例えば図３に示すように蓄積される。
【００３０】
なお、図１に示すＲＡＭ３は、カードメモリなどの着脱可能な記憶媒体であってもよい。ＲＡＭ３が着脱可能な記憶媒体である場合、ユーザ毎の既使用情報は、それぞれ異なる記憶媒体に蓄積されるようになっていてもよい。
【００３１】
ＨＤＤ４は、機能の特徴など機能紹介を内容とする紹介情報と、機能を実行する操作の説明を内容とする操作説明情報とを機能情報として記憶している。電子機器１がナビゲーション装置である場合に、機能Ａが目的地追加機能であれば、機能Ａの紹介情報として、例えば「ルート案内中に次の目的地を消去して再検索することができます」というメッセージがＨＤＤ４に記憶されている。また、機能Ａを実行するための操作説明情報として、例えば「操作スイッチ２ａを５秒間押し続けてください」というメッセージが操作説明図とともにＨＤＤ４に記憶されている。
【００３２】
ＲＯＭ５には、ＨＤＤ４に記憶された複数の機能情報の中からＲＡＭ３に蓄積された既使用情報に応じた機能情報を選択する選択手段としてコンピュータ、すなわち、ＣＰＵ６を機能させるためのプログラムや、選択手段によって選択された機能情報を案内する案内手段としてコンピュータ、すなわち、ＣＰＵ６、ディスプレイ７およびスピーカ８を機能させるためのプログラムなどが格納されている。
【００３３】
カードリーダ１０は、複数の機能情報に対して定められた優先度を示す優先度情報をカードメモリ９から読み取るようになっている。カードメモリ９には、家庭用コンピュータなどを通じて最新の優先度情報を常に記憶することが可能である。
【００３４】
なお、カードメモリ９およびカードリーダ１０に代えて、受信手段としての図示しない通信機が携帯電話回線などを通して優先度情報を受信するようにしてもよい。
【００３５】
次に、電子機器１の動作について説明する。
【００３６】
図４に示すように、機能の実行を指示する指示信号を操作スイッチ２がユーザの操作に応じて出力すると、ＣＰＵ６は、ＲＯＭ５に格納された各種プログラムを実行して、指示信号に対応する機能と、指示信号が出力された時にタイマ１１が計時した日時とを既使用情報としてＲＡＭ３に蓄積する（ステップＳ１）。このとき、操作スイッチ２によってユーザＩＤが入力されていれば、既使用情報はユーザＩＤ毎にＲＡＭ３の異なる領域に蓄積される。
【００３７】
操作スイッチ２が操作されたときに、カードメモリ９がカードリーダ１０に読み取り可能な状態で挿入されていれば、ＣＰＵ６は、ＲＯＭ５に格納された各種プログラムを実行して、カードメモリ９に記憶された優先度情報をカードリーダ１０に読み取らせ、カードリーダ１０に読み取らせた優先度情報をＲＡＭ３の空き領域に記憶する（ステップＳ２）。
【００３８】
そして、ＣＰＵ６は、ＲＯＭ５に格納された各種プログラムを実行して、ＨＤＤ４に記憶された複数の機能情報の中からＲＡＭ３に蓄積された既使用情報に応じた機能情報を選択する（ステップＳ３）。
【００３９】
次いで、ＣＰＵ６は、ＲＯＭ５に格納された各種プログラムを実行して、選択された機能情報を案内する（ステップＳ４）。例えば、電子機器１がナビゲーション装置である場合に、目的地追加機能である機能Ａが選択されると、機能Ａの紹介情報として、「ルート案内中に次の目的地を消去して再検索することができます」というメッセージがディスプレイ７によって画像として案内される。また、機能Ａを実行するための操作説明情報として、「操作スイッチ２ａを５秒間押し続けてください」というメッセージが操作説明図とともにディスプレイ７によって画像として案内される。もちろん、メッセージがスピーカ８によって音声として案内されてもよい。
【００４０】
なお、電子機器１が車載機である場合、ステップＳ４において、ＣＰＵ６は、車速センサからの車速信号が低速や停止を示していることを条件として、ＲＯＭ５に格納された各種プログラムを実行して、機能情報の案内を開始することが好ましい。
【００４１】
次に、本実施の形態の特徴的な動作であるステップＳ３の選択処理について説明する。
【００４２】
図５に示すように、ＣＰＵ６は、ＲＯＭ５に格納された各種プログラムを実行して、操作スイッチ２によって入力されたユーザＩＤを認識する（ステップＳ５）。
【００４３】
ユーザＩＤが認識されると、ＣＰＵ６は、ＲＯＭ５に格納された各種プログラムを実行して、入力されたユーザＩＤに対応する既使用情報をＲＡＭ３から読み出す（ステップＳ６）。より具体的には、ユーザＩＤが「００１」であれば、図３（ａ）に示すような既使用情報が読み出され、他方、ユーザＩＤが「００２」であれば、図３（ｂ）に示すような既使用情報が読み出される。
【００４４】
既使用情報が読み出されると、ＣＰＵ６は、ＲＯＭ５に格納された各種プログラムを実行して、使用された機能に関する機能情報（以下「既使用機能情報」という。）がＨＤＤ４に記憶された機能情報の中に存在するか否かを判定する（ステップＳ７）。より具体的には、図３（ａ）に示すように、機能Ａおよび機能Ｂについての既使用情報が読み出されると、機能Ａおよび機能Ｂに関する機能情報が存在するか否かが判定される。
【００４５】
ステップＳ７において、既使用機能情報が存在するとの判定がなされると、ＣＰＵ６は、ＲＯＭ５に格納された各種プログラムを実行して、ＨＤＤ４に記憶された全ての機能情報から既使用機能情報を差分したものを取得する（ステップＳ８）。より具体的には、図３（ａ）に示すように、機能Ａおよび機能Ｂについて既使用であれば、全ての機能情報から機能Ａおよび機能Ｂに関する機能情報を差分したものが取得される。
【００４６】
他方、ステップＳ７において、既使用機能情報が存在するとの判定がなされないと、ＣＰＵ６は、ＲＯＭ５に格納された各種プログラムを実行して、ＨＤＤ４に記憶された全ての機能情報を取得する（ステップＳ９）。
【００４７】
機能情報が取得されると、ＣＰＵ６は、ＲＯＭ５に格納された各種プログラムを実行して、各機能情報に優先度が与えられているか否かを判定する（ステップＳ１０）。
【００４８】
ステップＳ１０において、優先度が与えられているとの判定がなされると、ＣＰＵ６は、ＲＯＭ５に格納された各種プログラムを実行して、取得された機能情報の中から案内処理に用いる機能情報を優先度の高い順に選択する（ステップＳ１１）。
【００４９】
他方、ステップＳ１０において、優先度が与えられているとの判定がなされないと、ＣＰＵ６は、ＲＯＭ５に格納された各種プログラムを実行して、取得された機能情報の中から案内処理に用いる機能情報を無作為に選択する（ステップＳ１２）。
【００５０】
本実施の形態では、ステップＳ７において、既使用機能情報が存在するか否かの判定がなされているが、所定の期間にわたって未使用の機能に関する機能情報を選択する選択手段としてコンピュータ、すなわち、ＣＰＵ６を機能させるためのプログラムなどをＲＯＭ５に格納し、過去所定の期間内に指示信号が出力された既使用機能情報が存在するか否かの判定がなされてもよい。具体的には、図３（ａ）に示す既使用情報において、タイマ１１が「２００３．０７．０９」を計時している場合に、過去２ヶ月以内に指示信号が出力された既使用機能情報が存在するか否かの判定がなされると、「２００３．０５．０３」に使用された機能Ｂに関する機能情報は過去２ヶ月以内に指示信号が出力された既使用機能情報に該当しないが、「２００３．０５．１０」に使用された機能Ａに関する機能情報は過去２ヶ月以内に指示信号が出力された既使用機能情報に該当することになる。
【００５１】
以上に説明したように、電子機器１は、使用履歴が残っていない機能のみについて機能情報を案内するので、より効率的にかつ多くの機会で機能情報を案内することができる。
【００５２】
なお、電子機器１は、所定の期間にわたって未使用の機能についてのみ機能情報を案内するようにすれば、より効率的にかつ多くの機会で機能情報を案内することができる。
【００５３】
また、電子機器１は、優先度の高いものから順に機能情報を案内するので、より効率的にかつ多くの機会で機能情報を案内することができる。
【００５４】
また、電子機器１は、カードメモリから優先度情報を読み取るので、多くのユーザが利用している機能に関する機能情報を優先的に案内することができる。
【００５５】
なお、電子機器１は、携帯電話回線を通じてユーザ使用ランキングなどとして優先度情報を適時受信するようにしても、多くのユーザが利用している機能に関する機能情報を優先的に案内することができる。
【００５６】
また、電子機器１は、既使用情報をユーザ毎に分けて蓄積するので、機能情報をユーザ毎に変化させて案内することができる。
【００５７】
また、電子機器１は、車両停止など所定の条件に基づいて機能情報の案内を開始するので、より効率的かつ安全に機能情報を案内することができる。
【００５８】
（第２の実施の形態）
まず、本発明の第２の実施の形態に係る電子機器の構成について説明する。もっとも、本発明の第１の実施の形態と同一の構成については同一の符号を用いる。
【００５９】
本実施の形態に係る電子機器において、使用回数が所定の回数以下である機能に関する機能情報を選択する選択手段としてコンピュータ、すなわち、ＣＰＵ６を機能させるためのプログラムなどがＲＯＭ５に格納されている。
【００６０】
次に、本実施の形態に係る電子機器の動作について説明する。もっとも、本実施の形態に係る電子機器の大まかな動作は、第１の実施の形態における電子機器１の動作と同一であるので、ステップＳ３（図４参照。）の選択処理についてのみ説明する。
【００６１】
図６に示すように、ＣＰＵ６は、ステップＳ５（図５参照。）およびステップＳ６（図５参照。）と同様に、ステップＳ１５およびステップＳ１６を行う。
【００６２】
そして、ステップＳ１６において既使用情報が読み出されると、ＣＰＵ６は、ＲＯＭ５に格納された各種プログラムを実行して、使用回数が所定の回数以上の機能に関する機能情報（以下「頻繁使用機能情報」という。）がＨＤＤ４に記憶された機能情報の中に存在するか否かを判定する（ステップＳ１７）。より具体的には、使用回数が２回以上の機能に関する機能情報が存在するか否かが判定される場合、図３（ａ）に示す使用履歴においては、機能Ａおよび機能Ｂに関する機能情報が存在するか否かが判定され、他方、図３（ｂ）に示す使用履歴においては、機能Ａに関する機能情報が存在するか否かが判定される。
【００６３】
ステップＳ１７において、頻繁使用機能情報が存在するとの判定がなされると、ＣＰＵ６は、ＲＯＭ５に格納された各種プログラムを実行して、ＨＤＤ４に記憶された全ての機能情報から頻繁使用機能情報を差分したものを取得する（ステップＳ１８）。より具体的には、使用回数が２回以上の機能に関する機能情報が存在するか否かが判定される場合、図３（ａ）に示す使用履歴においては、全ての機能情報から機能Ａおよび機能Ｂに関する機能情報を差分したものが取得される。
【００６４】
他方、ステップＳ１７において、頻繁使用機能情報が存在するとの判定がなされないと、ＣＰＵ６は、ＲＯＭ５に格納された各種プログラムを実行して、ＨＤＤ４に記憶された全ての機能情報を取得する（ステップＳ１９）。
【００６５】
そして、ＣＰＵ６は、ステップＳ１０（図５参照。）、ステップＳ１１（図５参照。）およびステップＳ１２（図５参照。）と同様に、ステップＳ２０、ステップＳ２１およびステップＳ２２を行う。
【００６６】
以上に説明したように、本実施の形態に係る電子機器は、使用回数が所定の回数以下である機能に関してのみ機能情報を案内するので、ユーザが操作方法を忘れた機能に関する機能情報をより効率的にかつ多くの機会で機能情報を案内することができる。
【産業上の利用可能性】
【００６７】
以上のように、本発明に係る電子機器は、効率的にかつ多くの機会で機能情報を案内することができるという効果を有し、多数の機能を有するナビゲーション装置などとして有用である。
【図面の簡単な説明】
【００６８】
【図１】本発明の第１の実施の形態に係る電子機器の構成を示すブロック図
【図２】図１に示すディスプレイの外観正面図
【図３】（ａ）図１に示すＲＡＭに蓄積されたユーザＩＤ００１に対応する既使用情報を示す図  （ｂ）図１に示すＲＡＭに蓄積されたユーザＩＤ００２に対応する既使用情報を示す図
【図４】図１に示す電子機器の動作のフローチャート
【図５】図４に示す選択処理のフローチャート
【図６】本発明の第２の実施の形態に係る電子機器の選択処理のフローチャート
【符号の説明】
【００６９】
１  電子機器
３  ＲＡＭ（蓄積手段）
４  ＨＤＤ（記憶手段）
５  ＲＯＭ（選択手段、案内手段）
６  ＣＰＵ（選択手段、案内手段）
７  ディスプレイ（案内手段）
８  スピーカ（案内手段）
９  カードメモリ（着脱可能な記憶媒体）
１０  カードリーダ（読取手段）
【図１】
2005214731.tif 000003
【図２】
2005214731.tif 000004
【図３】
2005214731.tif 000005
【図４】
2005214731.tif 000006
【図５】
2005214731.tif 000007
【図６】
2005214731.tif 000008